(57)【要約】【課題】  簡素な構成で、ホログラムの演出効果を向上する。【解決手段】  画像領域に複数のホログラムが記録されるホログラム記録媒体２３と、ホログラム記録媒体に記録される複数のホログラムのうち任意のホログラムに記録されている画像パターンを再生する再生光を照射する光源６１と、ホログラム記録媒体を、光源との位置関係を変更可能に保持する支持体５１と、ホログラム変更部と光源を保持する保持部４と、を備える、画像表示装置１。【選択図】図２
2019066752.tif 000002
【特許請求の範囲】
【請求項１】
画像領域に複数のホログラムが記録されるホログラム記録媒体と、
前記ホログラム記録媒体に記録される前記複数のホログラムのうち任意のホログラムに記録されている画像パターンを再生する再生光を照射する光源と、
前記ホログラム記録媒体を、前記光源との位置関係を変更可能に保持するホログラム変更部と、
前記ホログラム変更部と前記光源を保持する保持部と、
を備える、画像表示装置。
【請求項２】
前記再生光は、前記ホログラム記録媒体の定位置に照射され、前記ホログラム変更部は、前記再生光が前記複数のホログラムのうちのいずれかに記録されている画像パターンが再生されるように、前記ホログラム記録媒体の位置を変更可能である、請求項１記載の画像表示装置。
【請求項３】
前記複数のホログラムは、前記ホログラム記録媒体の同一の画像領域に、異なる角度の再生光によって再生される角度多重方式で多重記録されており、前記ホログラム記録媒体が回転されると、再生される前記ホログラムが切り替えられる、請求項１又は２記載の画像表示装置。
【請求項４】
前記ホログラム記録媒体は平板であり、前記ホログラム変更部は前記画像領域を通る法線を回転軸にして、前記ホログラム記録媒体を回転可能に保持している、請求項１乃至３のいずれかに記載の画像表示装置。
【請求項５】
前記ホログラム変更部は、前記ホログラム記録媒体を移動させて前記光源と前記ホログラム記録媒体との位置関係を電気的に変更する回転駆動部を備える、請求項１乃至４のいずれかに記載の画像表示装置。
【請求項６】
前記回転駆動部は前記ホログラム記録媒体を回転させ、前記複数のホログラムのうちのいずれかに記録されている前記画像パターンが再生されるように、予め定められた複数の位置のうちのいずれかで前記ホログラム記録媒体を保持する、請求項５記載の画像表示装置。
【請求項７】
前記複数のホログラムのそれぞれは静止画像パターンであり、前記再生光は定方向から前記ホログラム記録媒体の定位置に照射される、請求項１乃至６のいずれかに記載の画像表示装置。
【請求項８】
前記複数のホログラムのそれぞれは動画パターンであり、前記光源は、前記ホログラム記録媒体の定位置に対する前記再生光の照射角度が連続的に変位する、請求項１乃至６のいずれかに記載の画像表示装置。
【請求項９】
前記光源を保持して、起点の周りに円弧を描いて揺動し、前記光源から出射する再生光の、前記定位置に対する照射角度を連続的に変化させるアームと、
前記アームを揺動させるアーム駆動部と、
をさらに有する、請求項８記載の画像表示装置。
【請求項１０】
前記光源は、前記ホログラム記録媒体の画像領域の中心を向くように配置された複数の小光源と、前記複数の小光源を順次点灯させる電気回路と、を有し、前記複数の小光源はそれぞれ異なる入射角度で前記中心に入射される、請求項１乃至８記載の画像表示装置。
【請求項１１】
前記複数のホログラムは、前記複数の小光源による再生光に対応してそれぞれ再生され、前記複数の小光源からそれぞれ出射する再生光を前記ホログラム記録媒体に順次照射したときに、前記複数のホログラムの画像パターンが順次再生される、請求項１０記載の画像表示装置。
【請求項１２】
画像領域に複数のホログラムが記録されるホログラム記録媒体と、
前記ホログラム記録媒体に記録される前記複数のホログラムのうち任意のホログラムに記録されている画像パターンを再生する再生光を照射する光源と、
前記ホログラム記録媒体を、前記光源との位置関係を変更可能に保持するホログラム変更部と、
前記ホログラム変更部と前記光源を保持する保持部と、
を備える画像表示装置の画像表示方法であって、
前記光源が前記ホログラム記録媒体に前記再生光を照射する第１工程と、
前記ホログラム変更部が前記光源と前記ホログラム記録媒体との位置関係を切り替える第２工程と、
前記光源と前記ホログラム記録媒体との位置関係に応じて前記複数のホログラムのうちいずれかのホログラムに記録されている画像パターンが再生される第３工程と、
を備える、画像表示方法。
【請求項１３】
前記第２工程において、前記ホログラム変更部は、前記画像領域を通る法線を回転軸にして前記ホログラム記録媒体を回転させる、請求項１２記載の画像表示方法。
【請求項１４】
前記光源が前記ホログラム記録媒体に前記再生光を照射するのを停止する第４工程をさらに備える、請求項１２又は１３記載の画像表示方法。
【発明の詳細な説明】
【技術分野】
【０００１】
本発明は、画像表示装置および画像表示方法に関する。
【背景技術】
【０００２】
ホログラム記録媒体に再生光を照射する光源を備え、ホログラム記録媒体に予め記録された画像パターンを再生させる画像表示装置が知られている。
【０００３】
ホログラムは、ホログラム記録媒体上に形成された干渉縞によって所定の角度から入射する再生光を回折させ、ホログラム記録媒体上に予め記録された所定の画像パターンに対応する光強度および位相を再現する。観察者は、ホログラム記録媒体から回折される光によって、予め記録された所定の画像パターンを虚像として視認する。
【０００４】
例えば特許文献１には、所定の画像が記録された反射型ホログラムが取り付けられる所定の形状を有する支持体と、反射型ホログラムに対して再生光を投光する光源とを備えることを特徴とするホログラムを用いたディスプレイ装置が開示されている。
【０００５】
特許文献２には、ホログラム記録媒体に対して、異なる位置から１つの光源を動かしたり、複数の光源を順次光らせたりして演出効果を向上する照明装置および画像記録媒体が開示されている。
【０００６】
しかしながら、ホログラム記録媒体に照射される光源の位置を動かして画像パターンを表示する画像表示装置は一般的になっており、観察者に特別な演出効果を与えるためには更なる工夫が必要である。
【０００７】
そこで、簡素な構成でホログラムの演出効果を向上する画像表示装置が必要とされている。
【先行技術文献】
【特許文献】
【０００８】
【特許文献１】特開平１０−０６３２１０号公報
【特許文献２】特開２０１５−０４３３１７号公報
【発明の概要】
【発明が解決しようとする課題】
【０００９】
本発明は、簡素な構成でホログラムの演出効果を向上する画像表示装置を提供することを目的とする。
【課題を解決するための手段】
【００１０】
本発明にかかる画像表示装置は、画像領域に複数のホログラムが記録されるホログラム記録媒体と、ホログラム記録媒体に記録される複数のホログラムのうち任意のホログラムに記録されている画像パターンを再生する再生光を照射する光源と、ホログラム記録媒体を、光源との位置関係を変更可能に保持するホログラム変更部と、ホログラム変更部と光源を保持する保持部と、を備えることを特徴とする。
【発明の効果】
【００１１】
本発明によれば、簡素な構成でホログラムの演出効果を向上する
【図面の簡単な説明】
【００１２】
【図１】本発明にかかる画像表示装置の実施の形態を示す斜視図である。
【図２】上記画像表示装置を正面および左側面側から見た分解斜視図である。
【図３】上記画像表示装置を背面側から見た分解斜視図である。
【図４】上記画像表示装置の縦断面斜視図である。
【図５】上記実施の形態におけるホログラム板、上記保持部、上記光源、上記アームを示す（ａ）上面図、および（ｂ）上記アームが揺動する様子を示す上面図である。
【図６】上記画像表示装置の縦断右側面図である。
【図７】上記画像表示装置が備えるホログラム板、および上記ホログラム板を保持するホログラム変更部を示す（ａ）正面図、（ｂ）側面図である。
【図８】上記ホログラム板、上記保持部、ならびに上記画像表示装置が備える光源およびアームを示す（ａ）正面図、（ｂ）側面図である。
【発明を実施するための形態】
【００１３】
以下、本発明にかかる画像表示装置および画像表示方法の実施の形態について、図面を参照しながら説明する。
【００１４】
●画像表示装置●
図１乃至図４に示すように、画像表示装置１は、筐体１０と、表示部２と、スイッチ３と、保持部４と、支持体５１と、光源部６と、ホログラム位置検出部５２と、アーム検出部７と、を備える。
【００１５】
●筐体１０
図２に示すように、筐体１０は、画像表示装置１の内部構造を一体的に保持する部材であり、上面後方に開口１１を備える中空の略直方体である。開口１１の外縁は、対向する辺がそれぞれ平行である。開口１１の外縁のうち、前後に対向する辺はそれぞれ真っ直ぐであり、左右に対向する辺は、左右の側面視において略四半円である。開口１１の外縁形状は、後述する表示部２の端部形状に対応している。
【００１６】
筐体１０には上面前方に底面と平行な平板１２があり、平板１２は後述する表示部２の平板２２２（図２参照）と重なり合う。平板１２の略中央には貫通孔１３が形成されている。貫通孔１３は、スイッチ３の外形に対応しており、本実施の形態においては略長方形である。
【００１７】
●表示部２
図２乃至図３に示すように、表示部２は、透明板２１と、ホログラムカバー２２と、ホログラム板２３と、を備える。ホログラム板２３は、ホログラム記録媒体の例である。
【００１８】
透明板２１は、筐体１０の上部に取り付けられる薄い板である。透明板２１は、略四半円の部分円筒板２２１と、部分円筒板２２１に連続する平板２２２が組み合わさった形状をしている。部分円筒板２２１は透明であり、部分円筒板２２１を通して筐体１０内部に配置されるホログラム板２３を視認可能である。
【００１９】
透明板２１の平板２２２は、筐体１０への透明板２１の設置状態において筐体１０の底面と平行である。平板２２２の略中央には貫通孔２４がある。貫通孔２４はスイッチ３の外形に対応しており、本実施の形態においては略長方形である。平板２２２の前端には適宜の係合部があり、この係合部が筐体１０の前面と係合されて透明板２１が筐体１０に固定される。
【００２０】
なお、透明板２１は、全体が透明であってもよいし、部分円筒板２２１のみが透明で、平板２２２は不透明、または半透明であってもよい。
【００２１】
ホログラムカバー２２は、側面が台形状で、台形の長辺が下になるように台形柱を縦にした形状の、中空の部材である。ホログラムカバー２２は、設置状態において底面が空いており、底面側からホログラム板２３に被せられる。ホログラムカバー２２の底面端部は、適宜の構成で保持部４に固定されている。ホログラムカバー２２の正面略中央には、ホログラムカバー２２の外側からホログラム板２３を視認するための孔２２０が形成されている。孔２２０は、略円形の上下部分を水平方向に直線的に切除した形状である。
【００２２】
ホログラム板２３は、光の干渉回折原理を利用してホログラムの記録再生を行う略円板である。ホログラム板２３は、正面側から見て上下端部が背面側に凹んで段差が生じている。ホログラム板２３の平面視における中央部の形状は、ホログラムカバー２２の孔２２０の形状に対応している。ホログラム板２３の中央部における正面側の表面には、ホログラムが記録されて干渉縞が形成されている。ホログラム板２３の中央部は、所定の角度から入射する再生光を回折させることで、干渉縞に対応する画像パターンを再生可能な画像領域となっている。
【００２３】
ホログラム板２３に記録されたホログラムは、本実施の形態においてはリップマンホログラムである。リップマンホログラムの場合、エンボスホログラムとは異なり、限定方向から照射したときにだけ像が再生されて他の方向から照射した場合は全く像が見えず透明とすることができる。また、本実施の形態においては、ホログラム板２３に記録されたホログラムは、白色光源、例えば白色ＬＥＤにより再生可能である。
【００２４】
ホログラム板２３は、同一の画像領域内に複数のホログラムが記録されている。複数のホログラムは、異なる入射角度の再生光によって再生されるように角度多重方式で多重記録されている。複数のホログラムは、それぞれ異なる画像パターンが記録されている。
【００２５】
複数のホログラムから再生される画像パターンは、それぞれモノクロ画像であってもカラー画像であってもよい。また、ホログラムの形態は、それぞれ平面状画像であっても立体画像であってもよい。
【００２６】
ホログラム板２３の同一画像領域内に記録されている複数のホログラムは、本実施の形態においては動画パターンであるが、静止画像パターンであってもよい。静止画像パターンのみがホログラム板に記録されている場合は、後述するアーム６２の揺動機構は不要である。
【００２７】
ホログラム板２３の同一画像領域内に記録されているホログラムの数は任意であるが、例えば２個である。２個の場合、ホログラムは、第１位置から入射する再生光、および第１位置に対してホログラム板２３の法線を軸に１８０度回転した第２位置から入射する再生光によって再生されるように形成されている。
【００２８】
また、ホログラム板２３の同一画像領域内に記録されているホログラムの数が４個の場合は、前記第１位置および前記第２位置に加えて、第１位置に対してホログラム板２３の法線を軸に９０度回転した第３位置、および２７０度回転した第４位置から入射する再生光によって再生されるように形成されているとよい。すなわち、複数のホログラムは、ホログラム板２３の法線を軸に、それぞれ等角度に離れた位置から入射する再生光によって再生されるように形成されていると好適である。
【００２９】
ホログラム板２３は、背面側の中央で支持体５１と連結されて保持されている。
【００３０】
図７（ａ）および（ｂ）に示すように、支持体５１は、側面形状が板状の部材をＺ型に折り曲げた形状である。支持体５１の一端側は、適宜の構成により保持部４の外壁に垂直に固定されている。支持体５１の他端側は、ホログラム板２３の平面と略平行である。
【００３１】
支持体５１の他端側には、ホログラム変更部としての回転駆動部、すなわちモータ、例えばステッピングモータ５３が取り付けられている。ステッピングモータ５３の出力軸にホログラム板２３の回転中心が結合されている。ステッピングモータ５３は、駆動パルス数によって回転位置を制御し、所定角を単位としてホログラム板２３を円周方向に回転させる。ステッピングモータ５３は、ホログラム板２３を画像表示装置１の底面に対して後方側にやや傾斜させて保持している。図６に示すように、ホログラム板２３は、法線の水平に対する角度が例えば約２０度になるように、支持体５１に保持されている。言い換えれば、ホログラム変更部および支持体５１は、ホログラム板２３と光源６との位置関係を変更可能に保持している。位置関係とは、具体的には光源６からの再生光がホログラム板２３に入射する入射角度である。
【００３２】
支持体５１は適宜のリンク機構により、ホログラム板２３を通る法線を回転軸として円周方向に回転可能に保持している。本実施の形態では、この回転軸はホログラム板２３の平面視略中央に形成されている画像領域の略中央を通る。前述したように、ホログラム板２３は異なる入射角度の再生光によって異なるホログラムが再生されるので、ホログラム板２３が回転されると、ホログラム板２３の光源６からの再生光に対する角度に基づいて、再生されるホログラムが切り替えられる。
【００３３】
ホログラム変更部は、一定時間ごとにホログラム板２３の回転および停止を繰り返してもよいし、スイッチ３の押下又は適宜の外部入力信号に基づいてホログラム板２３を回転させるように構成してもよい。
【００３４】
ホログラム変更部は、ホログラム板２３を手動で回転可能に保持していてもよい。このとき、例えばカム等によりホログラムが再生される位置に基づいて予め定められた位置毎にクリック感を与えて、予め定められた位置で回転の停止を促すような機構を有していてもよい。また、ホログラム板２３は手動で与えられた動力に応じて自由に回転してもよい。例えば、ホログラム板２３をルーレットのように自由に回転させ、ホログラム板２３の回転が減速してくると、ホログラムが再生される位置に基づいて予め定められた位置に停止させるような機構を有していてもよい。ホログラム板２３の回転方向は任意である。
【００３５】
ホログラム変更部は、ステッピングモータに限らず、通常のモータであってもよい。その場合、ホログラム位置検出部５２によってホログラム板２３の停止位置を検出し、ホログラム板２３がホログラムを再生可能な位置にあるか否かを判別するとよい。
【００３６】
言い換えれば、ホログラム変更部は、予め定められた位置毎に回転が停止するような機構を有していても良いし、始めは自由に回転した上で最終的に予め定められた位置に停止するように構成しても良い。また、ホログラム板２３は、常に一方向にのみ回転させても良いし、逆方向に回転させたり、揺動させたりしながら最終的に予め定められた位置に停止させてもよい。ホログラム板２３が、観察者の予想しづらい挙動をすることで、演出効果をさらに高めることができる。
【００３７】
ここまでに、ホログラム記録媒体の例として、画像領域を１個有するホログラム板２３を説明したが、ホログラム記録媒体は複数の画像領域を有していても良い。また、ホログラム記録媒体は、平板ではなく円柱状や多角柱状であってもよい。
【００３８】
●スイッチ３
スイッチ３は、貫通孔１３および貫通孔２４を貫通する押しボタン式のインタフェースで、画像表示装置１の外部から押下可能である。外部からスイッチ３が押されると、その動作がスイッチ３を通じて内部機構に伝達され、画像表示装置１が種々の動作を行う。
【００３９】
画像表示装置１は、スイッチ３の押下に応じて光源部６が有する光源６１が点灯するように構成されていてもよい。また、スイッチ３の押下に応じてモータを動作させて、ホログラム板２３が回転するように構成されていてもよい。
【００４０】
●保持部４
図２乃至４に示すように、保持部４は、支持体５１、光源部６、およびアーム検出部７を保持する部材である。保持部４は、略四角筒状であり、すなわち上面および底面を貫通する四角孔４１を備える。保持部４の、設置状態において後側の側壁には、外部と四角孔４１とを連通する、略四角形の開口４２が形成されている。保持部４の、設置状態において後側の上端部には、四角筒の一辺が半径方向外側に伸び出すようにして形成された平面部４３を備える。平面部４３側の外壁には、支持体５１が適宜の部材を介して固定されている。また、支持体５１と対向する壁側の底面には、一辺が保持部４の幅に対応する長さを有する制御基板４４が固定されている。
【００４１】
●光源部６
光源部６は、光源６１と、アーム６２と、を備える。
【００４２】
光源６１は、ホログラム板２３に記録されているホログラムを再生可能な再生光を出射する光源である。光源６１は、例えば白色ＬＥＤである。
【００４３】
光源６１は、白色ＬＥＤに限られず、例えばＬＤであってもよい。
【００４４】
アーム６２は、一端側に光源６１を保持する棒状の部材である。アーム６２の一端側は、保持部４の開口４２に、保持部４の外側から内側に向かって挿通されている。すなわち、光源６１は、保持部４の四角孔４１内部に配置されている。アーム６２は、光源６１から出射する再生光が所定の角度でホログラム板２３の定位置に入射されるように光源６１を保持している。言い換えれば、アーム６２は、ホログラム板２３の回転軸および光源６１を含む断面において、ホログラム板２３の画像領域の中心と前記光源とのなす角度が変化しないように光源６１を保持している。ホログラム板２３の定位置とは、ホログラム板２３の画像領域の略中央である。アーム６２の他端部は、支持体５１に水平面内において揺動可能に連結されている。
【００４５】
アーム６２は、電気的にアーム６２を揺動するアーム駆動部に接続されている。
【００４６】
図５（ａ）および（ｂ）に示すように、アーム６２は、支持体５１との連結部分を起点として、起点の周りに円弧を描くように左右に揺動可能である。アーム６２が揺動することにより、光源６１から出射する再生光の、画像領域に対する照射角度が連続的に変化する。アーム６２の揺動により、一定の位置から画像表示装置１を観察している観察者は、再生されるホログラムを動画として視認する。
【００４７】
図６に示すように、ホログラム板２３は、法線の水平に対する角度が約２０度になるように配置されている。この角度は、観察者および画像表示装置１の位置関係に応じて適宜定められる。また、光源６１は、光源６１からの再生光がホログラム板２３に対して約４０度で入射するように配置されている。
【００４８】
●ホログラム位置検出部５２
ホログラム位置検出部５２は、ホログラム板２３の円周方向における回転位置を検出するセンサである。ホログラム位置検出部５２は、ホログラム板２３の背面に適宜配置されたフラグを読み取って、ホログラム板２３の回転角度を検出する。
【００４９】
図７（ａ）および（ｂ）に示すように、ホログラム板２３の背面側の外周部には、ホログラム位置検出部５２が読み取り可能なフラグが複数配置されている。ホログラム板２３には、ホログラムの数と同数のフラグが配置されている。フラグは、ホログラムが再生される各位置になるようにホログラム板２３を回転させたとき、一定の位置にフラグが位置するように設けられている。
【００５０】
本実施の形態の場合は、ホログラム板２３が各位置にあるとき、下側の一部分にフラグが設けられている。すなわち、ホログラム板２３が回転すると、ホログラム位置検出部５２が読み取るホログラム板２３上の位置が変化する。ホログラム板２３が、ホログラムが再生される各位置になると、各フラグがホログラム位置検出部５２の読み取り範囲に配置され、ホログラム位置検出部５２は、ホログラム板２３がホログラムを再生可能な位置に正しく回転されたことを検出する。
【００５１】
●アーム検出部７
図８（ａ）および（ｂ）に示すように、アーム６２および制御基板４４には、それぞれアーム被検出部７１およびアーム位置読取部７２が設けられている。アーム被検出部７１およびアーム位置読取部７２は、アーム検出部７を構成している。アーム被検出部７１は、アームの一端部に形成されていて、一端部の下面から制御基板４４に向かって下向きに突出する突起である。アーム位置読取部７２は、制御基板４４の上面略中央に配置されているＵ字状の部材である。アーム位置読取部７２は、Ｕ字の開口内にアーム被検出部７１があるか否かを検出可能である。アーム６２がホログラム板２３の中央にあるとき、アーム被検出部７１とアーム位置読取部７２が嵌合し、アーム６２が中央にあることが検出される。
【００５２】
画像表示装置１は、１個の光源６１をアーム６２により揺動させる構成に代えて、光源６１が揺動軌跡に対応する位置に配置された複数の小光源により構成されていてもよい。この場合、光源６１は、複数の小光源を順次点灯させる電気回路を備える。複数の小光源からの再生光はそれぞれ異なる入射角度でホログラム板２３の画像領域の中心に入射される。複数のホログラムは、複数の小光源による再生光に対応してそれぞれ再生されるように構成されている。複数の小光源からそれぞれ出射する再生光をホログラム板２３に順次照射したときに、複数のホログラムの画像パターンが順次再生される。
【００５３】
●画像表示方法●
上述の画像表示装置１が画像を表示する方法について説明する。
【００５４】
まず、光源６１は、ホログラム板２３に再生光を照射する（第１工程）。次いで、支持体５１は、光源６１とホログラム板２３との位置関係を変更する（第２工程）。そして、光源６１とホログラム板２３との位置関係に応じて複数のホログラムのうちいずれかのホログラムに記録されている画像パターンが再生される（第３工程）。
【００５５】
第２工程において、支持体５１は、ホログラム板２３を通る法線を回転軸にホログラム板２３を回転させることにより、光源６１とホログラム板２３との位置関係を変更する。本実施の形態では、この回転軸は、ホログラム板２３の平面視略中央に形成されている画像領域の略中央を通る。なお、ホログラム板２３が回転している間は動画の再生が停止する。ホログラム板２３が、ホログラムが再生される所定位置に停止すると、回転前とは異なるホログラムが再生される。
【００５６】
第１乃至第３工程を通じて、アーム６２は連続的に揺動している。なお、アーム６２の揺動は間欠的であってもよい。
【００５７】
画像表示装置１は、適宜第２工程および第３工程を繰り返す。この画像表示方法によれば、観察者は、ホログラムの動画が再生されたり、ホログラム板２３が回転を開始してホログラムが一旦消えた後、ホログラム板２３の停止後に別のホログラムが再生されたりするのを観察することができる。この画像表示方法は、１個のホログラムの動画が再生されるのみの画像表示に比べて、観察者に高い演出効果を与えることができる。
【００５８】
画像表示装置１は、光源６１がホログラム板２３に再生光を照射するのを停止する第４工程を有していてもよい。第４工程は、光源６１を消灯してもよいし、光源６１からの再生光がホログラム板２３に照射されないよう適宜の遮光部材により遮ってもよい。第１乃至第４工程をランダムに適宜繰り返す画像表示方法によれば、観察者にさらに高い演出効果を与えることができる。
【００５９】
なお、画像表示装置１は、観察者等によるスイッチ３の押下に応じて第１工程を実行してもよい。また、画像表示装置１は、スイッチ３の押下に応じて第２工程を実行してもよい。いずれの場合においても、観察者等にスイッチ３を押させるために、画像表示装置１のどこかに適宜指示を表示してもよいし、画像表示装置１の近傍又は一体的に配置される別の装置により観察者等に伝達してもよい。観察者等に自発的な動作を促すことで、観察者を画像表示装置１に注目させ、さらに高い演出効果を与えることができる。
【００６０】
なお、本発明の技術的思想は、画像表示装置が単独で動作する形態に限られず、画像表示装置が適宜の装置の一部に組み込まれる形態であっても適用可能である。
【符号の説明】
【００６１】
１        画像表示装置
４        保持部
２３      ホログラム板（ホログラム記録媒体）
５３      ホログラム変更部（ステッピングモータ）
６１      光源
【図１】
2019066752.tif 000003
【図２】
2019066752.tif 000004
【図３】
2019066752.tif 000005
【図４】
2019066752.tif 000006
【図５】
2019066752.tif 000007
【図６】
2019066752.tif 000008
【図７】
2019066752.tif 000009
【図８】
2019066752.tif 000010